【事件の表示】
　特願２００９−２４７９８３「携帯通信機器及び通信システム」拒絶査定不服審判事件〔平成２３年　５月１２日出願公開、特開２０１１−　９７２７７〕について、次のとおり審決する。
【結　論】
　本件審判の請求は、成り立たない。
【理　由】
第１　手続の経緯と本願発明
　本願は、平成２１年１０月２８日の出願であって、平成２６年３月３日に拒絶査定がなされ、これに対し、同年６月１０日に審判請求がなされたものであり、その特許請求の範囲の請求項１に係る発明（以下「本願発明」という。）は、明細書、特許請求の範囲及び図面の記載からみて、平成２５年５月２０日付け手続補正書の特許請求の範囲の請求項１に記載された以下のとおりのものである。
　
「情報を無線通信で送受信する通信手段と、
　情報を記憶する記憶手段と、
　画像を表示する表示手段と、
　少なくとも前記通信手段、前記記憶手段及び前記表示手段を制御する制御手段と、
　を備える携帯通信機器であって、
　当該制御手段は、施設への入場の際に、該施設に設けられる第１の通信機器から該第１の通信機器の識別情報を含む入場情報を前記通信手段が受信すると、前記入場情報を前記記憶手段に記憶させると共に前記入場情報に関する所定画像を前記表示手段に待ち受け画面として表示させ、その後、前記施設に設けられる第２の通信機器（前記施設からの退場の際に当該携帯通信機器と通信する通信機器を除く）へ前記第１の通信機器の識別情報を送信し、前記第２の通信機器から前記入場情報に関連する追加情報を受信すると、当該追加情報に基づいて所定の処理を行うことを特徴とする携帯通信機器。」
　
第２　引用発明
　
Ａ．原審の拒絶の理由に引用された特開２００８−２４２７２７号公報（以下「引用例」という。）には、その名称を「駐車場精算システム、メモリ部付携帯端末、ＰＯＳ端末ゲート、および駐車場精算プログラム」として図面とともに以下の事項が記載されている。
　
（１）「【０００１】
　本発明は、
駐車場の入庫、出庫、および駐車割引サービスを含めた精算を行う
メモリ部付携帯端末
　
（２）「【００１１】
　図１は、本発明のシステム構成図を示す。
  図１において、
ＩＣリーダ／ライタ１
携帯端末２に装着したメモリ部４１に、データを書き込んだり
　
（３）「【００１４】
　ＩＣリーダ／ライタ機能１３は、利用者が所持する携帯端末２に装着されたメモリ部（ＩＣタグ）４１に、データを書き込んだり、読み出したり、消去したりなどするものである。」（４頁段落００１４）
　
（４）「【００２０】
　
携帯端末２は
外部から無線でアクセス可能なメモリ部４１を装着した携帯端末であり、制御部２１
表示部２７
駐車場料金精算アプリケーション３１
メモリ部（ＩＣタグ）４１
【００２１】
制御部２１は、プログラムに従い各種制御を行う
　
（５）「【００２３】
　ＩＣリーダ／ライタ２５は、メモリ部４１としてＩＣタグを装着した場合に、当該ＩＣタグ４１に無線で電源を供給したり、ブロードキャストして当該ＩＣタグ４１からの応答を要求したり、データを書き込んだり、読み出したり、消去したりなどする公知のものである。」（５頁段落００２３）
　
（６）「【００３０】
　
メモリ部（ＩＣタグ）４１は、ＩＣリーダ／ライタ１が各種情報を書き込んだり、読み出したり、消去したりする記憶部であって、管理情報テーブル４１０を格納するものであり、ＩＣタグ、ＩＣメモリなどの無線でアクセス可能な不揮発性の記憶媒体である
【００３１】
　
管理情報テーブル４１０は
入庫時間４１１
ービス券情報４１３
　
（７）「【００３７】
　図２は、本発明の動作説明フローチャート（全体）を示す。
  図２において、Ｓ１は、駐車場の入庫ゲートで携帯端末をかざす。
【００３８】 
　Ｓ２は、ＩＣリーダが携帯端末の情報を読み取る。
  Ｓ３は、ＩＣライタが携帯端末に管理情報を書き込む。これらＳ１、Ｓ２，Ｓ３は、利用者が自動車を運転し、
駐車場の入庫ゲートで、図１のメモリ部４１付の携帯端末２を当該入庫ゲートあるいは当該入庫ゲートの近傍に配置したＩＣリーダ／ライタ１にかざすと
管理情報（ここでは、右側に記載した、入庫時刻、単位時間当たりの駐車料金）を図３のように書き込む
【００３９】
　以上のＳ１からＳ３によって、
入庫時には、入庫ゲートに設置した図１のＩＣリーダ／ライタ１が入庫時刻、単位時間当りの駐車料金を利用者の携帯端末２に装着したメモリ部（ＩＣタグ）４１上の図３の管理情報テーブル４１０４中の入庫時刻、単位時間料金を書き込むことが可能となる
　
（８）「【００４０】
Ｓ４は、ＰＯＳ端末で精算する。これは、
利用者が駐車場の近傍の店舗で商品を買物し、ＰＯＳ端末で商品の料金を支払う精算を行う
【００４１】
　Ｓ５は、携帯端末をかざす。
Ｓ６は、ＩＣライタが携帯端末にサービス情報を書き込む。これらＳ５、Ｓ６は、Ｓ４で
商品を購入してＰＯＳ端末で精算時に、当該ＰＯＳ端末に接続されている図１のＩＣリーダ／ライタ１に利用者がメモリ部（ＩＣタグ）４１付の携帯端末２をかざすと、ＩＣリーダ／ライタ１がメモリ部（ＩＣタグ）４１上の図３の管理情報テーブル４１０のサービス時間欄に、買物金額に応じた割引サービス時間（ここで、右側に記載した例えば２時間無料）を書き込む
【００４２】
　以上のＳ４からＳ６によって、
利用者が店舗で商品を購入して精算時に、ＰＯＳ端末に接続された図１のＩＣリーダ／ライタ１にメモリ部（ＩＣタグ）付の携帯端末２をかざすとメモリ部（ＩＣタグ）４１上の図３の管理情報テーブル４１０のサービス時間欄に割引サービス時間（ここでは、２時間無料）を書き込み
【００４３】
　Ｓ
７は、駐車時間・料金の表示を行う
随時、携帯端末２の所定ボタン（所定メニュー）を選択すると
メモリ部（ＩＣタグ）４１上の図３の管理情報テーブル４１０の入庫時刻、単位時間料金、サービス時間をもとに現在時刻における料金を計算し、表示部に表示する
　
（９）「【００４９】
　図３は、本発明のメモリ部のデータ例を示す。これは、
図１のメモリ部（ＩＣタグ）４１に設ける管理情報テーブル４１０で管理するデータ例を示し
【００５０】
    ・
ＩＤ
    ・
入庫時刻
    ・単位時間料金：
    ・
サービス時間
    ・決済情報：
    ・その他：
  ここで、
ＩＤは、駐車場を管理する一意のＩＤである
　
（１０）「【００８４】
  Ｓ６６は、駐車場利用情報を消去する（＊１）。ここで、
サービス券情報（無料サービス時間）
　
　上記（１）〜（１０）の記載及び図面並びにこの分野における技術常識を考慮すると、
　ア　上記（１）の記載から、引用例には、「駐車場の入庫、出庫、および駐車割引サービスを含めた精算を行うメモリ部付携帯端末」が記載されている。
　イ　上記（７）、（８）、及び図１の記載によれば、「ＩＣリーダ／ライタ１」は入庫ゲート、出庫ゲート、店舗のＰＯＳ端末に設置されるものであるから、引用例には「入庫ゲート、出庫ゲート、店舗のＰＯＳ端末に設置されるＩＣリーダ／ライタ１」が記載されているといえる。
　また、上記（２）の記載から、引用例には、「ＩＣリーダ／ライタ１は、携帯端末２に装着されたメモリ部（ＩＣタグ）４１に、データを書き込んだり、読み出したりする」と記載されているといえる。
　ウ　上記（４）（５）の記載から、引用例には、「携帯端末２は、外部から無線でアクセス可能なメモリ部４１を装着した携帯端末であり、制御部２１、表示部２７、駐車場料金精算アプリケーション３１、メモリ部（ＩＣタグ）４１などから構成され、制御部２１はプログラムに従い各種制御を行う」と記載されているといえる。
　エ　上記（６）の記載から、引用例には、「メモリ部（ＩＣタグ）４１は、ＩＣリーダ／ライタ１が各種情報を書き込んだり、読み出したり、消去したりする記憶部であって、管理情報テーブル４１０を格納し、ＩＣタグ、ＩＣメモリなどの無線でアクセス可能な不揮発性の記憶媒体であって、管理情報テーブル４１０は、入庫時間４１１、サービス券情報４１３などを格納する」と記載されている（ただし、他の記載、図３の記載から「入庫時間４１１」は「入庫時刻４１１」の誤記と認められる。）。
　さらに、上記（９）、図３によれば、「管理情報テーブル４１０」には、「入庫時刻」及び「サービス時間」とともに、「駐車場を管理する一意のＩＤ」も登録されることが記載されており、さらに、上記（１０）の記載によれば「サービス時間」と「サービス券情報」は同じ情報と認められる。
　したがって、引用例には「メモリ部（ＩＣタグ）４１は、ＩＣリーダ／ライタ１が各種情報を書き込んだり、読み出したり、消去したりする記憶部であって、管理情報テーブル４１０を格納し、ＩＣタグ、ＩＣメモリなどの無線でアクセス可能な不揮発性の記憶媒体であって、管理情報テーブル４１０は、入庫時刻４１１、サービス券情報４１３、及び、駐車場を管理する一意のＩＤなどを格納する」が記載されているといえる。
　オ　上記（７）の記載から、引用例には、「入庫ゲートで携帯端末２をかざすと、ＩＣリーダ／ライタ１が、携帯端末２のＩＣタグ４１のＩＤを読み出し、ＩＣリーダ／ライタ１は、携帯端末２に入庫時刻を書き込む」、および「入庫時には、入庫ゲートに設置した図１のＩＣリーダ／ライタ１が入庫時刻、単位時間当りの駐車料金を利用者の携帯端末２に装着したメモリ部（ＩＣタグ）４１上の図３の管理情報テーブル４１０４中の入庫時刻、単位時間料金を書き込むことが可能となる」と記載されている。
　また、上記エのとおり、「管理情報テーブル４１０」には「駐車場を管理する一意のＩＤ」も登録され、「駐車場を管理する一意のＩＤ」は駐車場を区別し管理するためものであることからすれば、「駐車場を管理する一意のＩＤ」は、入庫した駐車場を特定する情報として、「入庫時刻」と関連して、入庫時に「管理情報テーブル４１０」に登録されるものと認められる。
　したがって、引用例には「入庫ゲートで前記携帯端末２をかざすと、ＩＣリーダ／ライタ１が、前記携帯端末２のメモリ部（ＩＣタグ）４１のＩＤを読み出し、前記入庫ゲートに設置されたＩＣリーダ／ライタ１は、前記携帯端末２のメモリ部（ＩＣタグ）４１上の管理情報テーブルに駐車場を管理する一意のＩＤ、入庫時刻を書き込み」が記載されているといえる。
　カ　上記エで述べたとり、「サービス時間」と「サービス券情報」とは同じ情報と認められるから、上記（８）の記載より、引用例には、「駐車場の近傍の店舗で商品を購入してＰＯＳ端末で精算時に、メモリ部（ＩＣタグ）４１付の携帯端末２をＰＯＳ端末に接続されているＩＣリーダ／ライタ１にかざすと、ＩＣリーダ／ライタ１が、メモリ部（ＩＣタグ）４１上の管理情報テーブル４１０のサービス時間欄に、買物金額に応じたサービス券情報を書き込み、駐車時間・料金の表示を、必要に応じて、携帯端末２の所定のボタンを選択すると表示部に表示する」ことが記載されていると認められる。
　
　
　したがって、引用例には以下の発明（以下「引用発明」という。）が記載されている。
　
　＜引用発明＞
「駐車場の入庫、出庫、および駐車割引サービスを含めた精算を行うメモリ部付携帯端末において、
　前記携帯端末２に装着されたメモリ部（ＩＣタグ）４１に、入庫ゲート、出庫ゲート、レジに設置されるＩＣリーダ／ライタ１が、データを書き込んだり、読み出したりし、
　前記携帯端末２は、外部から無線でアクセス可能なメモリ部４１を装着した携帯端末であり、制御部２１、表示部２７、駐車場料金精算アプリケーション３１、メモリ部（ＩＣタグ）４１などから構成され、
　前記制御部２１はプログラムに従い各種制御を行い、
　前記メモリ部（ＩＣタグ）４１は、ＩＣリーダ／ライタ１が各種情報を書き込んだり、読み出したり、消去したりする記憶部であって、管理情報テーブル４１０を格納し、ＩＣタグ、ＩＣメモリなどの無線でアクセス可能な不揮発性の記憶媒体であり、
　管理情報テーブル４１０は、入庫時刻４１１、サービス券情報４１３、及び、駐車場を管理する一意のＩＤなどを格納し、
　入庫ゲートで前記携帯端末２をかざすと、
　ＩＣリーダ／ライタ１が、前記携帯端末２のメモリ部（ＩＣタグ）４１のＩＤを読み出し、前記入庫ゲートに設置されたＩＣリーダ／ライタ１は、前記携帯端末２のメモリ部（ＩＣタグ）４１上の管理情報テーブルに駐車場を管理する一意のＩＤ、入庫時刻を書き込み、
　駐車場の近傍の店舗で商品を購入してＰＯＳ端末で精算時に、ＰＯＳ端末に接続されているＩＣリーダ／ライタ１にかざすと、ＩＣリーダ／ライタ１が、メモリ部（ＩＣタグ）４１上の管理情報テーブル４１０のサービス時間欄に、買物金額に応じたサービス券情報を書き込み、
　駐車時間・料金の表示を、必要に応じて、携帯端末２の所定のボタンを選択すると表示部に表示する、
　メモリ部付携帯端末。」
　
Ｂ．原審の拒絶の理由に引用された特開２００３−１８７２７６号公報（以下、「引用例２」）には、その名称を「駐車管理システム、駐車管理方法、駐車管理装置及び携帯型端末」として図面とともに以下の事項が記載されている。
　
「【００４３】［入庫時の動作］
ユーザが駐車場に入庫する際の駐車管理システム１０の動作について説明する
ユーザが携帯型端末１２をＲ／Ｗ機４０にかざすことにより
【００４４】　そして、入庫管理部４６により、会員ＩＤに対応付けられて入庫時刻が確定され、データベース３７の駐車テーブル３９に格納されると共に（ステップＳ３０４）、インターネット２２を介して
入庫時刻が携帯型端末１２の表示部１８に表示される
　上記引用例２の記載及び図面並びにこの分野の技術常識を考慮すると、引用例２には以下の発明（以下、「引用発明２」という。）が記載されている。
　
「駐車管理システムの携帯型端末において、前記携帯型端末を駐車場の入口に設けられた機器にかざすと、入庫時刻が前記携帯型端末の表示部に表示される携帯型端末」
　
Ｃ．原審の拒絶の理由に引用された特開２００９−１１６６７６号公報（以下、「引用例３」という。）には、その名称を「駐車場システム」として図面とともに以下の事項が記載されている。
　
「【００１６】
　顧客の
記録媒体５は、駐車券に相当する駐車券情報や、駐車料金の割引クーポンに相当するクーポン情報を記憶する
記録媒体５は
携帯電話端末
「【００４６】
　
駐車券発行機２が顧客に対して駐車券を発行する際の手順
駐車場に入場する顧客は、所持している記録媒体５を、駐車券発行機２に実装されたリーダ／ライタ２ｉにかざすか、あるいは挿入する。駐車券発行機２はこれを受けて（ステップＳ３０１）、顧客の記録媒体５に、自己が記憶保持する駐車場識別子を内蔵の計時回路から取得した現在日時のタイムスタンプとともに駐車券情報として書き込む
【００４７】
店舗用端末１が顧客に対して割引クーポンを発行する際の手順
顧客の記録媒体５に記憶されている駐車券情報を読み出し（ステップＳ４０２）、妥当性検証を行う
即ち
その駐車券情報に含まれる駐車場識別子が提携駐車場のリスト中に存在しているか否かを判定する
　
　上記引用例３の記載及び図面並びにこの分野の技術常識を考慮すると、引用例３には以下の発明（以下、「引用発明３」という。）が記載されている。
　
「携帯電話端末を用いた駐車場システムにおいて、駐車料金の割引クーポンを発行する際に、店舗用端末が、携帯電話端末の入庫時に入庫時刻とともに書き込まれた駐車場識別子を取得すること。」
　
第３　対比
　本願発明と引用発明とを対比する。
（１）引用発明の「前記携帯端末２に装着されたメモリ部（ＩＣタグ）４１に、入庫ゲート、出庫ゲート、レジに設置されるＩＣリーダ／ライタ１が、データを書き込んだり、読み出したりし、前記携帯端末２は、外部から無線でアクセス可能なメモリ部４１」において、携帯端末のメモリ部（ＩＣタグ）は、ＩＣリーダ／ライタ１から無線でアクセスされ、データが書き込まれたり、読みだされるものであるから、メモリ部には入庫ゲートのＩＣリーダ／ライタと無線でのアクセスを可能とするための通信手段が設けられていると認められ、また、引用発明の「メモリ部（ＩＣタグ）４１」は、記憶部であって、入庫時間４１１、サービス券情報４１３、及び、駐車場を管理する一意のＩＤなどを格納しているから、引用発明の「メモリ部」が、本願発明の「情報を無線通信で送受信する通信手段と、情報を記憶する記憶手段」に相当するといえる。
　（２）引用発明の「表示部」は、駐車時間・料金を、必要に応じて、携帯端末２の所定のボタンを選択すると、表示するから、本願発明の「画像を表示する表示手段」に相当するといえる。
　（３）引用発明の「制御部２１」は、携帯端末の各種制御を行うものであり、各種制御には携帯端末が有する各種手段の制御も含まれることから、当然、通信手段、記憶手段、および表示手段の制御も行うものであり、引用発明の「制御部２１」は、本願発明の「通信手段、記憶手段及び表示手段を制御する制御手段」に相当するといえる。
　（４）上記（１）ないし（３）で対比した「メモリ部」、「表示部」、「制御部」は引用発明の「携帯端末」が有するものであるから、引用発明の「携帯端末」は、本願発明の「少なくとも前記通信手段、前記記憶手段及び前記表示手段を制御する制御手段と、を備える携帯通信機器」に相当するといえる。
　（５）引用発明の「駐車場の入庫、出庫、および駐車割引サービスを含めた精算を行う」ことは、駐車場への入庫、出庫、さらに、割引も考慮して清算を行う駐車場の管理であり、このような管理が必要な駐車場を施設にその一部として設けることは、商業施設や娯楽施設にみられるように、一般的なものである。
　してみれば、引用例の記載より、引用発明の「駐車場」は施設にその一部として設けられたものということができる。
　また、引用発明の「前記入庫ゲートに設置されたＩＣリーダ／ライタ１は、前記携帯端末２のメモリ部（ＩＣタグ）４１上の管理情報テーブルに駐車場を管理する一意のＩＤ、入庫時刻を書き込み」において、「駐車場を管理する一意のＩＤ」は駐車場を識別するものであり識別情報といえ、また、「駐車場を管理する一意のＩＤ」、及び「入庫時刻」は駐車場への入場の際に書き込まれるものということができる。そして、引用発明において「メモリ部（ＩＣタグ）４１上の管理情報テーブル」へのアクセスは無線で行うものであるから、引用発明の「ＩＣリーダ／ライタ１」は、本願発明の「第１の通信機器」に含まれるものである。
　さらに、上記（１）に記したように、引用発明の「メモリ部」の通信手段が「ＩＣリーダ／ライタ１」からのデータの受信を行うものである。
　そうすると、引用発明の「前記入庫ゲートに設置されたＩＣリーダ／ライタ１は、前記携帯端末２のメモリ部（ＩＣタグ）４１上の管理情報テーブルに駐車場を管理する一意のＩＤ、入庫時刻を書き込み」と、本願発明の「施設への入場の際に、該施設に設けられる第１の通信機器から該第１の通信機器の識別情報を含む入場情報を前記通信手段が受信すると、前記入場情報を前記記憶手段に記憶させる」は、後述する相違点に係る構成を除き、「施設への入場の際に、該施設に設けられる第１の通信機器から識別情報を含む入場に関する情報を前記通信手段が受信すると、前記入場に関する情報を前記記憶手段に記憶させる」で共通するといえる。
　（６）引用発明の「駐車場の近傍の店舗で商品を購入してＰＯＳ端末で精算時に、ＰＯＳ端末に接続されているＩＣリーダ／ライタ１」より、「ＩＣリーダ／ライタ１」は店舗内に設けられたもので、駐車場の出庫ゲートとは別のものであることは明らかであるから、引用発明の「ＰＯＳ端末に接続されているＩＣリーダ／ライタ１」は、本願発明の「施設に設けられる第２の通信機器（前記施設からの退場の際に当該携帯通信機器と通信する通信機器を除く）」に相当するといえる。
　引用発明の「サービス券情報」は、駐車料金に関する追加の情報であり、引用発明の「サービス券情報」と、本願発明の「入場情報に関連する追加情報」は、「追加の情報」で共通し、さらに、引用発明の「サービス券情報を書き込み」は、所定の処理といえる。
　したがって、引用発明の「駐車場の近傍の店舗で商品を購入してＰＯＳ端末で精算時に、ＰＯＳ端末に接続されているＩＣリーダ／ライタ１にかざすと、ＩＣリーダ／ライタ１が、メモリ部（ＩＣタグ）４１上の管理情報テーブル４１０のサービス時間欄に、買物金額に応じたサービス券情報を書き込み、」と、本願発明の「施設に設けられる第２の通信機器（前記施設からの退場の際に当該携帯通信機器と通信する通信機器を除く）へ前記第１の通信機器の識別情報を送信し、前記第２の通信機器から前記入場情報に関連する追加情報を受信すると、当該追加情報に基づいて所定の処理を行う」は、後述する相違点に係る構成を除き、「施設に設けられる第２の通信機器（前記施設からの退場の際に当該携帯通信機器と通信する通信機器を除く）から追加の情報を受信すると、当該追加の情報に基づいて所定の処理を行う」で共通するといえる。
（７）そして、引用発明の「制御部２１」は、携帯端末の各種制御を行うものでありから上記（５）、（６）の処理も「制御部２１」が行うことは自明である。
　
　したがって、本願発明と引用発明は、以下の点で一致ないし相違している。
　
　＜一致点＞
「情報を無線通信で送受信する通信手段と、
　情報を記憶する記憶手段と、
　画像を表示する表示手段と、
　少なくとも前記通信手段、前記記憶手段及び前記表示手段を制御する制御手段と、
　を備える携帯通信機器であって、
　当該制御手段は、施設への入場の際に、該施設に設けられる第１の通信機器から識別情報を含む入場に関する情報を前記通信手段が受信すると、前記入場に関する情報を前記記憶手段に記憶させ、その後、前記施設に設けられる第２の通信機器（前記施設からの退場の際に当該携帯通信機器と通信する通信機器を除く）から追加の情報を受信すると、当該追加の情報に基づいて所定の処理を行うことを特徴とする携帯通信機器。」
　
　＜相違点＞　
　ア　上記識別情報に関して、本願発明においては、第１の通信機器の識別情報であるのに対して、引用発明においては、ＩＤは駐車場を管理する一意のＩＤである点。
　イ　施設への入場の際に、本願発明においては、前記入場情報に関する所定画像（駐車券ありや入場時刻のテキスト）を前記表示手段に待ち受け画面として表示させるのに対して、引用発明においては、入場に関する情報の表示を行っていない点。
　ウ　本願発明においては、第２の通信機器へ第１の通信機器の識別情報を送信しているのに対して、引用発明においては、第１の通信機器の識別情報を第２の通信機器へ送信するとはしていない点。
　エ　上記追加の情報に関して、本願発明においては、入場情報に関連する追加情報であるのに対して、引用発明においては、追加の情報が入場に関する情報に関連するとはしていない点。
　
第４　当審の判断
　上記相違点について検討する。
　（１）相違点アの検討
　本願発明の「識別情報」は、発明の詳細な説明の段落【００２７】に「・・・。管理装置識別情報は、他の駐車場に設置される料金清算システム３０の入庫管理装置３１ａと、今回入場情報を生成した入庫管理装置３１ａとを識別するための情報である。」と記載されており、駐車場を識別するためのものであり、駐車場を識別するに当たって、駐車場自体の識別情報とするか、駐車場に設けられた機器の識別情報とするかは、当業者が設計時に適宜選択なし得たものである。
　したがって、引用発明において、引用発明のＩＤを、ＩＣリーダ／ライタ１の識別情報とすることは、当業者が容易になし得ることである。
　
　（２）相違点イの検討
　前記第２のＢ．のとおり、駐車管理システムの携帯型端末において、前記携帯型端末を駐車場の入口に設けられた機器にかざすと、入庫時刻が前記携帯型端末の表示部に表示される携帯型端末は、本願出願日前、公知の発明（引用発明２）と認められる。
　また、携帯通信機器において待ち受け画面に注意が必要なメモ情報等を表示させることは常套手段と認められる。
　したがって、引用発明における施設への入場の際の処理として引用発明２を適用して、入場情報を記憶手段に記憶させると共に前記入場情報に関する所定画像（入庫時刻のテキスト）を表示手段に待ち受け画面として表示させることは、当業者が容易になし得ることである。
　
　（３）相違点ウ、及びエの検討
　引用発明であるメモリ部付携帯端末において、そのメモリ部には、入庫時刻、及び駐車場を管理する一意のＩＤを格納された管理情報テーブルが格納されており、上記ＩＤが駐車場を識別できる情報であることは明らかである。
　また、引用発明において、ＰＯＳ端末での精算時に、上記メモリ部付携帯端末をＰＯＳ端末に接続されているＩＣリーダ／ライタにかざすと、ＩＣリーダ／ライタによって、メモリ部（ＩＣタグ）上の管理情報テーブルのサービス時間欄に、買物金額に応じたサービス券情報が書き込まれる。
　そして、携帯電話端末を用いた駐車場システムにおける、駐車料金の割引クーポンを発行する際に、店舗用端末が、携帯電話端末の入庫時に入庫時刻とともに書き込まれた駐車場識別子を取得することは、前述第２のＣ．のとおり、本願出願日前、公知の発明（引用発明３）と認められる。
　そうすると、引用発明において、ＰＯＳ端末のＩＣリーダ／ライタにメモリ部付携帯端末をかざす際に、入庫時刻ととに格納された駐車場を管理する一意のＩＤを、上記ＩＣリーダ／ライタに送信するようにすることは、引用発明３に基づいて当業者が容易に想到し得たものといえる。
　そして、引用発明の「サービス券情報」が入場情報に関連するものであることは、明らかである。
　以上から、引用発明において、相違点ウ及びエに係る構成とすることは、引用発明３に基づいて、当業者が容易に想到し得たものである。
　
　そして、本願発明の作用効果は、引用発明、引用発明２、及び引用発明３から当業者が予測し得る範囲のものである。
　
第５　むすび
　以上のとおり、本願発明は、引用発明、引用発明２、及び引用発明３に基いて当業者が容易に発明をすることができたものであるから、特許法第２９条第２項の規定により特許を受けることができない。
　よって、結論のとおり審決する。